(57)【要約】【課題】  構成が簡単で信頼性が高いながらも応答特性が早い低電力プラズマディスプレイ装置及び電力制御方法を提供する。【解決手段】  本発明に係る応答特性が早い低電力プラズマディスプレイ装置は、パルス状の放電維持電圧により駆動されるプラズマディスプレイパネルを備え、外部から印加される映像信号をアナログ−デジタル変換するアナログ−デジタル変換部と、アナログ−デジタル変換された映像信号をプラズマディスプレイパネルに駆動するためのスキャンパルス及びデータパルスに変換してプラズマディスプレイパネルに出力するプラズマディスプレイパネル駆動部と、プラズマディスプレイパネル駆動部に放電維持電圧を供給する電源供給部及び電源供給部の出力電圧変化に応答してアナログ−デジタル変換部の出力利得を可変する制御部を持つ。【選択図】      図６
2004151731.tif 000002
【特許請求の範囲】
【請求項１】
パルス状の放電維持電圧により駆動されるプラズマディスプレイパネルを備え、 
外部から印加される映像信号をアナログ−デジタル変換するアナログ−デジタル変換部と、
アナログ−デジタル変換された前記映像信号を前記プラズマディスプレイパネルを駆動するためのスキャンパルス及びデータパルスに変換して前記プラズマディスプレイパネルに出力するプラズマディスプレイパネル駆動部と、
該プラズマディスプレイパネル駆動部に放電維持電圧を供給する電源供給部と、
該電源供給部の出力電圧変化に応答して前記アナログ−デジタル変換部の出力利得を可変する制御部とを含むことを特徴とする応答特性が早い低電力プラズマディスプレイ装置。
【請求項２】
前記制御部は、
前記放電維持電圧の変化をセンシングするための電圧センシング部と、
該電圧センシング部からのセンシング電圧と既に設定された電圧とを比較する電圧比較部と、
該電圧比較部の比較結果によって前記アナログ−デジタル変換部の出力利得を変換させる利得可変部とを含むことを特徴とする請求項１に記載の応答特性が早い低電力プラズマディスプレイ装置。
【請求項３】
前記電圧センシング部は、
前記放電維持電圧と接地端との間に直列連結する第１の抵抗、及び第２の抵抗を含むことを特徴とする請求項２に記載の応答特性が早い低電力プラズマディスプレイ装置。
【請求項４】
前記電圧比較部は、
第１の入力端は前記既に設定された電圧値が入力される演算増幅器と、
前記第１の抵抗と前記第２の抵抗が共同で連結されるノードと、前記演算増幅器の第２の入力端間に連結される第３の抵抗と、
前記演算増幅器の出力端と前記利得可変部の入力端との間に接続される第４の抵抗とを含むことを特徴とする請求項３に記載の応答特性が早い低電力プラズマディスプレイ装置。
【請求項５】
前記利得可変部は、
前記アナログ−デジタル変換部の利得値を内蔵するデータ貯蔵部と、
前記既に設定された電圧値を前記演算増幅器の前記第２の入力端に供給し、前記演算増幅器の比較結果に応答して前記データ貯蔵部に保存された利得値を前記アナログ−デジタル変換部に出力するマイコンとを含むことを特徴とする請求項４に記載の応答特性が早い低電力プラズマディスプレイ装置。
【請求項６】
前記演算増幅器は、アナログ演算増幅器であることを特徴とする請求項５に記載の応答特性が早い低電力プラズマディスプレイ装置。
【請求項７】
前記マイコンは、 
前記演算増幅器に印加される既に設定された値を内蔵することを特徴とする請求項６に記載の応答特性が早い低電力プラズマディスプレイ装置。
【請求項８】
前記電源供給部の出力電圧は、
前記プラズマディスプレイパネル駆動部から前記プラズマディスプレイパネルに印加される映像信号の輝度レベル増加によって減少することを特徴とする請求項７に記載の応答特性が早い低電力プラズマディスプレイ装置。
【請求項９】
前記アナログ−デジタル変換部の出力利得は、前記プラズマディスプレイパネルに印加される映像信号の輝度レベル増加によって減少することを特徴とする請求項８に記載の応答特性が早い低電力プラズマディスプレイ装置。
【請求項１０】
前記アナログ−デジタル変換部と前記プラズマディスプレイパネル駆動部との間に備わり、
前記アナログ−デジタル変換された前記映像信号を前記プラズマディスプレイパネルに表示される映像大きさに合うよう変換するスケーラをさらに含むことを特徴とする請求項９に記載の応答特性が早い低電力プラズマディスプレイ装置。
【請求項１１】
前記外部から印加される映像信号が受信されて既に設定されたフォーマットに変換した後、前記アナログ−デジタル変換部に印加するデコーダ部をさらに含むことを特徴とする請求項１に記載の低電力プラズマディスプレイ装置。
【請求項１２】
放電維持電圧により駆動されるプラズマディスプレイパネルを具備するプラズマディスプレイ装置の電力制御方法において、
外部から印加される映像信号をアナログ−デジタル変換する段階と、
前記放電維持電圧の変化に応答して前記アナログ−デジタル変換された前記映像信号の出力利得を可変する段階とを含むことを特徴とするプラズマディスプレイ装置の電力制御方法。
【請求項１３】
前記出力利得を可変する段階は、
前記放電維持電圧の変化をセンシングする段階と、
前記センシングされた電圧を既に設定された電圧と比較する段階と、
前記比較結果によって前記アナログ−デジタル変換された映像信号の出力利得を変換する段階とを含むことを特徴とする請求項１２に記載のプラズマディスプレイ装置の電力制御方法。
【請求項１４】
前記放電維持電圧は、
前記アナログ−デジタル変換された映像信号の輝度レベル増加によって減少することを特徴とする請求項１２に記載のプラズマディスプレイ装置の電力制御方法。
【請求項１５】
アナログ−デジタル変換する段階は、
前記アナログ−デジタル変換された映像信号が前記プラズマディスプレイパネルに表示される映像大きさに合うように変換する段階をさらに含むことを特徴とする請求項１２に記載のプラズマディスプレイ装置の電力制御方法。
【請求項１６】
前記アナログ−デジタル変換する段階は、
前記外部から印加される映像信号をアナログ−デジタル変換する前、前記外部から印加される映像信号を既に設定されたフォーマットに変換する段階をさらに含むことを特徴とする請求項１２に記載のプラズマディスプレイ装置の電力制御方法。
【発明の詳細な説明】
【技術分野】
【０００１】
本発明はプラズマディスプレイ装置に係り、特に電力消耗が少なくて応答特性が早いプラズマディスプレイ装置に関する。
【背景技術】
【０００２】
プラズマディスプレイ装置は複数個の放電セルをマトリックス状に配列し、これを選択的に発光させることで画像データを復元させるディスプレイ装置の一種類であって、プラズマディスプレイ装置を構成するそれぞれの放電セルは放電を維持させるための放電維持電圧を必要とする。これに伴い、プラズマディスプレイ装置を構成するそれぞれの放電セルには高圧の放電維持電圧が印加され、他のディスプレイ装置(例えばＣＲＴ、ＬＣＤ等)に比べて高い消費電力を必要とする。
【０００３】
図１はプラズマディスプレイ装置を構成する放電セルに対する垂直断面図である。図示した放電セルはＡＣ型放電セルであって、二枚のガラス基版１０、１１が向かい合うよう配置され、二枚のガラス基板１０、１１のうち上板１０には放電維持電極１２、１３が配置され、下板１１にはアドレス電極１４が配置される。また、上板１０に配置される二つの放電維持電極１２、１３間には誘電層１５が形成され、誘電層１５上には酸化マグネシウム(MgO)膜よりなる保護層１７が形成される。また、上板１０と下板１１との間には放電気体(例えば、ヘリウム、ネオン、アルゴンまたはこれらの混合気体)が通常３００〜４００torrの圧力にかけられる。このような構造の放電セルは上板１０に形成される放電維持電極１２、１３に高圧のパルスを印加する時、放電維持電極１２、１３間に発生する放電により発光し、誘電層１５に所定の電荷を蓄積する。これに伴い、誘電層１５に蓄積された電荷量ほど放電維持電極１２、１３に加えられる電圧が小さくても良い。この時放電維持電極１２、１３に蓄積される電荷量は誘電層１５が持つ誘電率に比例し、誘電層１５に蓄積された電荷を通常壁電荷と称する。
【０００４】
図２は図１に示した放電セルの放電特性を示したグラフである。図示の通り、放電セルを発光させる放電開始電圧が放電維持電圧より遥かに高いことが分かる。放電維持電圧は放電セルが持続的に発光可能なようにする電圧であって、放電開始電圧により誘電層１５に蓄積された電荷が形成する電圧により通常放電開始電圧に比べて低い電圧を持つ。これは、放電セルが持つ電気的特性であって、放電セルを構成する誘電層１５に蓄積された電荷量が大きいほど放電維持電圧は低くなる。
【０００５】
図３は既に商用化されたプラズマディスプレイパネルの構造であって、図１に示された放電セルにより構成されるプラズマディスプレイパネルの分解斜視図である。この構造は隔壁２０ａ〜２０ｄで形成された放電空間内に並んで形成された放電維持電極１２ａ〜１３ｃと、これらと向かい合って交差するデータ電極で構成されている。隔壁２０ａ〜２０ｄ間に形成される蛍光層２１ａ〜２１ｃは図１で説明した通り、放電維持電極１２ａ〜１３ｃに印加される高圧のパルスにより放電される紫外線により刺激されて可視光線を生成する。それぞれの隔壁２０ａ〜２０ｄはそれぞれの蛍光層２１ａ〜２１ｃで発生する可視光線が相互影響を及ぼさないようにする。
【０００６】
一方、前述した構造を持つプラズマディスプレイパネルはパネルを構成するそれぞれの放電セルをオン-オフして画像を表現するので、一般的なブラウン管(例えばＣＲＴ)とは違って、デジタル方式で駆動される。ＣＲＴはそれぞれの画素に走査される電子ビームの強度を線形変化させ蛍光体の発光強度を調節するが、プラズマディスプレイパネルは放電維持電圧を印加する放電維持期間を調節することによってこれを具現する。
【０００７】
以下、図面を参照してプラズマディスプレイパネルの輝度調整及びそれにともなう電力消耗を説明する。
【０００８】
図４はプラズマディスプレイパネルの輝度表示方法を説明するための図である。同図の横軸は時間を表し、縦軸は水平走査線数を表す。示された輝度表示方法は８ビット輝度具現方法であって、一つのフィールドを８個のサブフィールドに分け、それぞれのサブフィールド毎にリセット期間、アドレス期間、放電維持期間に分離されて構成される。リセット期間はプラズマディスプレイパネルを初期化させる期間であり、アドレス期間はプラズマディスプレイパネルのうち所定の場所を選択する期間であり、放電維持期間はプラズマディスプレイパネルのうち選択された場所で発光をする期間である。アドレス期間には放電維持電極１２、１３に各々+５０Ｖと-１５０Ｖを印加する。これに伴い、放電維持電極１２、１３間の電圧差によって放電維持期間の間放電セルが発光するようになる。
【０００９】
放電維持期間は相異なる発光期間(例えば、Ｔ１：Ｔ２：Ｔ４：Ｔ８：Ｔ１６：Ｔ３２：Ｔ６４：Ｔ１２８)を持つサブフィールドを選択的に点灯することで設定され、相異なる発光期間を持つサブフィールドの点灯によって固有した輝度値を持つことになる。
【００１０】
例えば、１２７という輝度を得ようとすれば、Ｔ１〜Ｔ７までのサブフィールドを順次に点灯すればよい。すなわち、Ｔ１＋Ｔ２＋Ｔ４＋Ｔ８＋Ｔ１６＋Ｔ３２＋Ｔ６４＝Ｔ１２７。このような方法で８個のサブフィールドを全て場合２５６輝度（２８）を表示できるようになる。プラズマディスプレイパネルで表示される画像の輝度が高まるほど放電維持期間は長くなり、放電維持期間が長くなるほどプラズマディスプレイパネルを構成するそれぞれの放電セルに印加される電力は増大する。また、輝度が高まるほどそれぞれの放電セルに残留する電荷量が増大するので放電セルをターン-オフさせても表示されていた画像が即刻消えない。すなわち残像が発生される。
【００１１】
図５は従来のＡＰＣ(自動パワー制御)機能を持つプラズマディスプレイ装置のブロック概念図である。図示したプラズマディスプレイ装置は、デコーダ部３０、アナログ−デジタル変換部(Ａ／Ｄ変換部)４０、スケーラ５０、プラズマディスプレイパネル駆動部６０、プラズマディスプレイパネル(ＰＤＰパネル)７０、及びＡＰＣ制御部８０を持つ。
【００１２】
デコーダ部３０はＲ、Ｇ、Ｂフォーマット以外の映像フォーマットをＲ、Ｇ、Ｂフォーマットに変換する。
【００１３】
アナログ−デジタル変換部(Ａ／Ｄ変換部)４０はデコーダ部３０またはパソコン(図示せず)からのＲ、Ｇ、Ｂフォーマットを持つ映像信号を印加されデジタル信号に変換する。
【００１４】
スケーラ５０はアナログ−デジタル変換部(Ａ／Ｄ変換部)４０から出力されるデジタル映像信号をプラズマディスプレイパネル(PDP  PANNEL)７０が持つ画面大きさに合うように変換する。
【００１５】
プラズマディスプレイパネル駆動部６０はスケーラ５０で変換されたデジタル映像信号を入力され、これをプラズマディスプレイパネル７０を駆動するための信号に変換する。例えば、プラズマディスプレイパネル７０を構成する放電セルを選択するためのスキャンパルス及びアドレスパルスを生成する。
【００１６】
ＡＰＣ制御部８０はスケーラ５０からプラズマディスプレイパネル駆動部６０に印加される映像信号の輝度レベルを検出し、検出された輝度レベルが所定値以上の時プラズマディスプレイパネル駆動部６０を制御してプラズマディスプレイパネル７０に印加される映像信号の輝度成分を減少させる。
【００１７】
ＡＰＣ制御部８０はＡＰＬ(平均ピクチャレベル)検出部８１、マイコン(ＭＣＵ)８２、及びルックアップテーブル８３を持つ。
【００１８】
ＡＰＬ検出部８１はスケーラ５０から出力される映像信号をしたフレーム単位で読んで映像信号の平均輝度値を算出する。
【００１９】
ルックアップテーブル８３は平均輝度値(ＡＰＬ)にともなう維持放電パルスの個数をテーブル形式で保存する。
【００２０】
マイコン(ＭＣＵ)８２はＡＰＬ検出部８１で検出された平均輝度値に応答してルックアップテーブル８３に保存された維持放電パルスの個数を読んで、維持放電パルスの個数でプラズマディスプレイパネル駆動部６０を制御する。これにより、ＡＰＬ検出部８１で検出された平均輝度値が高いほどプラズマディスプレイパネル駆動部６０に印加される維持放電パルスの個数は減少し、プラズマディスプレイパネル７０でディスプレイされる映像信号の平均輝度値が低くなる。
【００２１】
しかし、前述したプラズマディスプレイ装置は１フレーム単位で平均輝度値を計算した後にＡＰＣ制御部８０によりプラズマディスプレイパネル駆動部６０が制御されるので、適切な時点にプラズマディスプレイパネル駆動部６０を制御することができない。また平均輝度レベルを計算するための別のハードウェアを必要とする問題がある。
【００２２】
一方、プラズマディスプレイ装置の電力消耗を減少させるためにプラズマディスプレイパネル駆動部６０で消耗される電力の変化を計算し、これに基づきプラズマディスプレイパネル駆動部６０に印加される放電維持電圧を制御する方法が日本国特開平１３-２９６８３５に開示されたことがある。本方法は、電流検出手段で平均電流値を求め、これを積分回路を利用して平均電圧値を換算した後、換算された平均電圧値と平均電流値をアナログ−デジタル変換して既に設定された電力値と平均電力値とを比較して、プラズマディスプレイパネル７０を構成する放電セルの輝度を増減させる。これも、電流と電圧値を乗算して電力値を計算するための乗算器が必要であり、計算結果に基づき放電維持電圧がプラズマディスプレイパネル駆動部６０に印加される回数を制御するので、図５に示された技術と同じく即刻な応答特性が落ちて、別の複雑なハードウェアを必要とする。
【発明の開示】
【発明が解決しようとする課題】
【００２３】
本発明は前述したような課題を解決するために案出されたもので、その目的は構成が簡単で信頼性が高いながらも応答特性が早い低電力プラズマディスプレイ装置を提供するところにある。
【課題を解決するための手段】
【００２４】
前述したような技術的課題を解決するため、本発明の応答特性が早い低電力プラズマディスプレイ装置は、パルス状の放電維持電圧により駆動されるプラズマディスプレイパネルを備え、外部から印加される映像信号をアナログ−デジタル変換するアナログ−デジタル変換部、アナログ−デジタル変換された映像信号をプラズマディスプレイパネルを駆動するためのスキャンパルス及びデータパルスに変換してプラズマディスプレイパネルに出力するプラズマディスプレイパネル駆動部、プラズマディスプレイパネル駆動部に放電維持電圧を供給する電源供給部及び電源供給部の出力電圧変化に応答してアナログ−デジタル変換部の出力利得を可変する制御部を持つ。
【００２５】
望ましくは、制御部は、放電維持電圧の変化をセンシングするための電圧センシング部、電圧センシング部からのセンシング電圧と既に設定された電圧を比較する電圧比較部及び電圧比較部の比較結果に基づきアナログ−デジタル変換部の出力利得を変換させる利得可変部を持つ。
【００２６】
望ましくは、電圧センシング部は放電維持電圧と接地端との間に直列連結される第１の抵抗、及び第２の抵抗を含む。
【００２７】
望ましくは、電圧比較部は第１の入力端は既に設定された電圧値を入力される演算増幅器、第１の抵抗と第２の抵抗が共同で連結するノードと、演算増幅器の第２の入力端との間に連結する第３の抵抗、及び演算増幅器の出力端と利得可変部の入力端との間に接続される第４の抵抗を含む。
【００２８】
望ましくは、利得可変部はアナログ−デジタル変換部の利得値を内蔵するデータ貯蔵部及び既に設定された電圧値を演算増幅器の第２の入力端に供給し、演算増幅器の比較結果に応答してデータ貯蔵部に保存された利得値をアナログ−デジタル変換部に出力するマイコンを含む。
【００２９】
望ましくは、演算増幅器はアナログ演算増幅器で構成される。
【００３０】
望ましくは、マイコンは演算増幅器に印加される既に設定された値を内蔵する。
【００３１】
望ましくは、電源供給部の出力電圧はプラズマディスプレイパネル駆動部からプラズマディスプレイパネルに印加される映像信号の輝度レベル増加によって減少する。
【００３２】
望ましくは、電源供給部の出力電圧はプラズマディスプレイパネル駆動部からプラズマディスプレイパネルに印加される映像信号の輝度レベル増加によって減少する。
【００３３】
望ましくは、アナログ−デジタル変換部の出力利得はプラズマディスプレイパネルに印加される映像信号の輝度レベル増加によって減少する。
【００３４】
望ましくは、アナログ−デジタル変換部と前記プラズマディスプレイパネル駆動部との間に備わり、アナログ−デジタル変換された映像信号をプラズマディスプレイパネルに表示される映像大きさに合うよう変換するスケーラをさらに含む。
【００３５】
望ましくは、前記外部から印加される映像信号を受信され既に設定されたフォーマットに変換した後、前記アナログ−デジタル変換部に印加するデコーダ部をさらに含む。
【００３６】
前述したような技術的課題を解決するため、本発明のプラズマディスプレイ装置の電力制御方法は、放電維持電圧により駆動されるプラズマディスプレイパネルを具備するプラズマディスプレイ装置の電力制御方法において、外部から印加される映像信号をアナログ−デジタル変換する段階、及び放電維持電圧の変化に応答してアナログ−デジタル変換される前記映像信号の出力利得を可変する段階を有する。
【００３７】
望ましくは、出力利得を可変する段階は、放電維持電圧の変化をセンシングする段階と、センシングされた電圧を既に設定された電圧と比較する段階、及び比較結果によってアナログ−デジタル変換された映像信号の出力利得を変換する段階とを含む。
【００３８】
望ましくは、放電維持電圧はアナログ−デジタル変換された映像信号の輝度レベルの増加によって減少する。
【００３９】
望ましくは、アナログ−デジタル変換する段階はアナログ−デジタル変換された映像信号がプラズマディスプレイパネルに表示される映像大きさに合うよう変換する段階をさらに含む。
【００４０】
前記アナログ−デジタル変換する段階は、前記外部から印加される映像信号をアナログ−デジタル変換する前、前記外部から印加される映像信号を既に設定されたフォーマットに変換する段階をさらに含むことが望ましい。
【発明の効果】
【００４１】
本発明に係るプラズマディスプレイ装置及び電力制御方法は、映像信号がディスプレイ時発生する電力消耗に即刻応答して電力消耗を減少させることができ、このような応答特性はプラズマディスプレイパネル駆動部の電圧低下を感知してアナログ−デジタル変換部の出力利得を制御することにより達成されるので、従来のように複雑なハードウェア構成を必要としない。
【発明を実施するための最良の形態】
【００４２】
以下、添付した図面を参照して本発明をさらに詳細に説明する。
【実施例】
【００４３】
図６は本発明の望ましい一実施例による回路図である。図示された電力消耗が少ないプラズマディスプレイ装置は、デコーダ部１００、アナログ−デジタル変換部(Ａ／Ｄ変換部)２００、スケーラ３００、プラズマディスプレイパネル駆動部４００、プラズマディスプレイパネル４５０、電源供給部５００及び制御部６００を有する。
【００４４】
デコーダ部１００はＲ、Ｇ、Ｂ映像フォーマット以外の映像フォーマットをＲ、Ｇ、Ｂフォーマットに変換する。
【００４５】
アナログ−デジタル変換部(Ａ／Ｄ変換部)２００はデコーダ部１００またはパソコン(図示せず)からのＲ、Ｇ、Ｂフォーマットを持つ映像信号を印加されデジタル信号に変換する。
【００４６】
スケーラ３００は、アナログ−デジタル変換部(Ａ／Ｄ変換部)１００から出力されるデジタル映像信号をプラズマディスプレイパネル４５０が持つ画面大きさに合うよう変換する。
【００４７】
プラズマディスプレイパネル駆動部４００は、スケーラ３００で変換されたデジタル映像信号を入力され、これをプラズマディスプレイパネル４５０を駆動するための信号に変換する。例えば、プラズマディスプレイパネル４５０を構成する放電セル(図示せず)を選択するためのスキャンパルス(図示せず)及びアドレスパルス(図示せず)を生成する。また、プラズマディスプレイパネル駆動部４００はスケーラ３００から印加されるデジタル映像信号が持つ輝度に比例して、電源供給部５００から出力される放電維持電圧Ｖｓをパルス状に変換してプラズマディスプレイパネル４５０へ供給する。すなわち、スケーラ３００から印加されるデジタル映像信号が持つ輝度が高いほどプラズマディスプレイパネル４５０を構成するそれぞれの放電セルにパルス状の放電維持電圧を持続的に印加することで、結局プラズマディスプレイパネル４５０が具現する画像の輝度を高めるようになる。
【００４８】
電源供給部５００は、プラズマディスプレイパネル駆動部４００に放電維持電圧Ｖｓを供給する。放電維持電圧Ｖｓはプラズマディスプレイパネル駆動部４００から出力されるパルス状の放電維持電圧が増加する時電位レベルが所定量減少する。
【００４９】
制御部６００は、電源供給部５００から出力される出力電圧、すなわち放電維持電圧Ｖｓの変化を感知して、これに基づきアナログ−デジタル変換部(Ａ／Ｄ変換部)２００の出力利得を可変する。これに伴い、アナログ−デジタル変換部(Ａ／Ｄ変換部)２００から出力される映像信号の信号レベルが減少するようになり、プラズマディスプレイパネル４５０で具現される画像の輝度が減少するようになる。また、プラズマディスプレイパネル４５０で具現される画像の輝度が減少するほど電力消耗も減少する。ここで、本制御部６００はプラズマディスプレイパネル４５０からパルス状の放電維持電圧Ｖｓをプラズマディスプレイパネル４５０へ印加する時発生する電圧低下(voltage  drop)によってアナログ−デジタル変換部(Ａ／Ｄ変換部)２００の出力利得を可変するので、従来にスケーラ３００から出力されるデジタル映像信号の輝度によってプラズマディスプレイパネル駆動部４００を制御する方法に比べて応答速度が速くなる。
【００５０】
望ましくは、制御部６００は電圧センシング部６１０、電圧比較部６２０及び利得可変部６３０を持つ。
【００５１】
電圧センシング部６１０は、電源供給部５００から出力される放電維持電圧Ｖｓと接地端との間に直列連結する抵抗６１１、６１２で構成される。このような構成によってプラズマディスプレイパネル駆動部４００からプラズマディスプレイパネル４５０に出力されるパルス状の放電維持電圧Ｖｓが変動される時ノードＡにかかる電圧が変動される。
【００５２】
電圧比較部６２０は、ノードＡで検出される電圧と利得可変部６３０で提供される基準電圧Ｖｒｅｆを比較する。ノードＡで検出される電圧は比較器６２１の正(-)端子に印加され、比較器６２１の正(+)端子には利得可変部６３０から提供される基準電圧Ｖｒｅｆが印加される。比較器６２１はアナログ比較路であって、基準電圧Ｖｒｅｆと抵抗６２２を経由して印加されるノードＡの電圧を比較してその差を出力する。比較器６２１の出力電圧は抵抗６２２により所定量減少された後、利得可変部６３０に出力される。
【００５３】
利得可変部６３０は、電圧比較部６２０における比較結果を参照してアナログ−デジタル変換部(Ａ／Ｄ変換部)２００の出力利得を可変する。
【００５４】
望ましくは、利得可変部６３０はデータ貯蔵部６３１、及びマイコン６３２を持つ。
【００５５】
データ貯蔵部６３１は、電圧比較部６２０の出力電圧によってアナログ−デジタル変換部(Ａ／Ｄ変換部)２００に印加する利得データを内蔵する。利得データは電圧比較部６２０の出力電圧が高まることによってアナログ−デジタル変換部(Ａ／Ｄ変換部)２００の出力利得を減少させるように構成される。
【００５６】
マイコン６３２は、電圧比較部６２０に既に保存された基準電圧Ｖｒｅｆを供給し、電圧比較部６２０の出力電圧に応答してデータ貯蔵部６３２に保存された利得データを呼び出し、これをアナログ−デジタル変換部(Ａ／Ｄ変換部)２００に印加する。これにより、アナログ−デジタル変換部(Ａ／Ｄ変換部)２００はデコーダ部１００またはパソコンから印加されるＲ、Ｇ、Ｂ映像信号をアナログ−デジタル変換する時、マイコン６３２から印加される利得データによりデジタル変換された映像信号の振幅を減少させ、スケーラ３００に出力する。
【００５７】
図７は図６の利得可変部６３０の動作原理を概略的に説明する図である。図示した通り、アナログ−デジタル変換部(Ａ／Ｄ変換部)２００から出力される離散信号の振幅はマイコン６３２から印加される利得データにより減少されることが分かる。すなわち、デコーダ部１００から印加される映像信号をアナログ−デジタル変換した後、デジタル映像信号の振幅を調整してスケーラ３００に出力する。
【００５８】
以下、表１を参照して電圧検出部６１０、電圧比較部６２０及び利得可変部６３０の動作をさらに詳細に説明する。
【００５９】
【表１】
2004151731.tif 000003
基準電圧Ｖｒｅｆはマイコン６３２から比較器６２１に供給される電圧であり、Ｖａは比較器６２１の負(-)端子に印加される電圧であり、Ｖｂは比較器６２１の出力電圧を表す。ここで、比較器６２１の最小出力電圧は１．２Ｖであり、比較器の最大出力電圧は５Ｖであり、比較器６２１の正(+)端子と負(-)端子に印加される電圧が同じ場合、比較器６２１の出力電圧は３．３Ｖである。
【００６０】
まず、電圧センシング部６１０は放電維持電圧Ｖｓの電圧低下を検出する。比較器６２１は負(-)端子に検出電圧Ｖａを印加され、正(+)端子には基準電圧Ｖｒｅｆを印加される。ここで、検出電圧Ｖａと基準電圧Ｖｒｅｆが各々３．８Ｖと２．５Ｖの場合、比較器６２１の出力電圧は１．２Ｖになる。この時、マイコン６３２は比較器６２１から出力される１．２Ｖに応答してデータ貯蔵部６３１に保存された利得データ（１１１１１１１１）を呼び出し、これをアナログ−デジタル変換部(Ａ／Ｄ変換部)２００に出力して、アナログ−デジタル変換部(Ａ／Ｄ変換部)２００の出力利得を制御する。ここで、利得データが“１１１１１１１１”の場合はアナログ−デジタル変換部(Ａ／Ｄ変換部)２００の出力利得が“１”の場合であり、表１に記載された通り、検出電圧Ｖａの電位レベルが増加することによって利得は減少する。検出電圧Ｖａが基準電圧Ｖｒｅｆより高い場合、マイコン６３２からアナログ−デジタル変換部(Ａ／Ｄ変換部)２００に出力される利得データは“１１１１１１１１”になる。
【００６１】
一方、検出電圧Ｖａが基準電圧Ｖｒｅｆより低い場合、すなわちプラズマディスプレイパネル駆動部４００で放電維持電圧Ｖｓの使用頻度が高くて電源供給部５００から出力される放電維持電圧Ｖｓの電圧が低くなる場合、比較器６２１の出力電圧は３．３Ｖを上回るようになる。マイコン６３２は比較器６２１の出力電圧が３．３Ｖ以下の時からアナログ−デジタル 変換部(Ａ／Ｄ変換部)２００の出力利得が“１”未満になるように制御する。このように利得制御部は電源供給部５００の出力電圧変化によりアナログ−デジタル変換部(Ａ／Ｄ変換部)２００の出力利得を可変するので、電源供給部５００で電力消耗が増加する時(例えばプラズマディスプレイパネル駆動部４００からプラズマディスプレイパネル４５０に出力される映像信号の輝度レベルが高い時)これに迅速に応答してアナログ−デジタル変換部(Ａ／Ｄ変換部)２００の出力利得を低くすることができる。また、前述したように、本プラズマディスプレイ装置はスケーラ３００から出力されるデジタル映像信号の平均輝度レベルを計算するためのハードウェアブロックを必要としない。
【００６２】
図８は本発明に係るプラズマディスプレイ装置の電力制御方法の望ましい実施例を示した順序図である。
【００６３】
まず、デコーダ部１００はビデオ信号、スーパービデオ信号、及びコンポーネント信号を印加され、これをＲ、Ｇ、Ｂ信号に変換する。ただデコーダ部１００に印加される映像信号のうちパソコン(ＰＣ)から出力されるＲ、Ｇ、Ｂ信号は別に変換しなくても良い。次に、Ｒ、Ｇ、Ｂ信号に変換された映像信号をアナログ−デジタル変換する(Ｓ１００)。デジタル信号に変換された映像信号はスケーラ３００でプラズマディスプレイパネル４５０が持つ画面大きさに合うよう変換された後、プラズマディスプレイパネル駆動部４００に印加される。プラズマディスプレイパネル駆動部４００はスケーラ３００から出力されるデジタル映像信号をスキャンパルス及びデータパルスに変換して、変換されたスキャンパルス及びデータパルスでプラズマディスプレイパネル４５０を構成する放電セルを駆動する。ここで、放電セルのオン-オフされる 回数及び期間はプラズマディスプレイパネル駆動部４００が電源供給部５００から印加された放電維持電圧をプラズマディスプレイパネル４５０に選択的に印加することでなされる。前記図４で説明した通り、プラズマディスプレイパネル駆動部４００はプラズマディスプレイパネルを構成するそれぞれの放電セルの総発光期間を延ばすことで放電セル(図示せず）の輝度を増加させ、この時、プラズマディスプレイパネル４５０及びプラズマディスプレイパネル駆動部４００の消費電力が増加するようになる。また、プラズマディスプレイパネル４５０には高輝度にともなう残像現象が発生するようになる。
【００６４】
次に、電源供給部５００はプラズマディスプレイパネル駆動部４００に放電維持電圧Ｖｓを供給し、プラズマディスプレイパネル駆動部４００で消耗される放電維持電圧が増加する時、出力電圧Ｖｓが低くなるようになる。電圧センシング部６１０は電源供給部５００から出力される出力電圧Ｖｓをセンシングし(Ｓ２００)、センシングされた出力電圧Ｖｓはマイコン６３２に内蔵された基準電圧Ｖｒｅｆと比較される(Ｓ３００)。比較結果、センシングされた電圧が基準電圧Ｖｒｅｆより低い場合、表１に示されたようにアナログ−デジタル変換部(Ａ／Ｄ変換部)２００の出力利得を減少させる(Ｓ４００)。これに伴い、本電力制御方法はプラズマディスプレイパネルで復元される映像信号の輝度が高い時、映像信号の輝度を計算する別のハードウェアを必要とせず、電源供給部５００の電圧変動に応答してアナログ−デジタル変換部（Ａ／Ｄ変換部）２００の出力利得を制御するので、プラズマディスプレイ装置の電力制御時非常に早い応答特性を持つ。
【００６５】
前述したように本発明のプラズマディスプレイ装置は、高輝度の映像信号をプラズマディスプレイパネルでディスプレイ時発生する電力消耗に即刻応答してこれを減少させることができ、このような応答特性はプラズマディスプレイパネル駆動部の電圧低下を感知してアナログ−デジタル変換部の出力利得を制御することにより達成されるので、従来のように複雑なハードウェア構成を必要としない。
【００６６】
以上では代表的な実施例を通じて本発明について詳細に説明したが、本発明が属する技術分野において通常の知識を持つ者は前述した実施例に対して本発明の範疇から逸脱しない限度内で多様な変形が可能なことを理解できよう。従って、本発明の権利範囲は説明された実施例に限らず、特許請求の範囲だけではなく本特許請求の範囲と均等なものにより決まるべきである。
【産業上の利用可能性】
【００６７】
本発明はＰＤＰのように相異なる発光期間により所望の輝度値を得られるディスプレイ装置に適用して高速に電力消耗を減少させることができる。
【図面の簡単な説明】
【００６８】
【図１】プラズマディスプレイ装置を構成する放電セルの垂直断面図である。
【図２】図１に示した放電セルの放電特性を示したグラフである。
【図３】プラズマディスプレイパネルの分解斜視図である。
【図４】プラズマディスプレイパネルの輝度表示方法を説明するための図である。
【図５】従来のＡＰＣ機能を持つプラズマディスプレイ装置のブロック概念図である。
【図６】本発明の望ましい一実施例による回路図である。
【図７】図６の利得可変部の動作原理を概略的に説明する図である。
【図８】本発明に係るプラズマディスプレイ装置の電力制御方法の望ましい実施例を示した順序図である。
【符号の説明】
【００６９】
１００  デコーダ部 
２００  アナログ−デジタル変換部
３００  スケーラ 
４００  プラズマディスプレイパネル駆動部
４５０  プラズマディスプレイパネル 
５００  電源供給部
６００  制御部 
６１０  電圧センシング部
６２０  電圧比較部
６３０  利得制御部
【図１】
2004151731.tif 000004
【図２】
2004151731.tif 000005
【図３】
2004151731.tif 000006
【図４】
2004151731.tif 000007
【図５】
2004151731.tif 000008
【図６】
2004151731.tif 000009
【図７】
2004151731.tif 000010
【図８】
2004151731.tif 000011